(57)【要約】【課題】  合理的に構成された電磁アクチュエータを得ること。【解決手段】  駆動子２０と、駆動子を回動可能に支持する支軸３０と、駆動子に設けられた永久磁石４０と、永久磁石に作用する一対の電磁コイル５０と、駆動子と当接してその停止位置を規制するストッパ６０とを備え、一対の電磁コイルは、停止位置における駆動子を、その回動方向に対して垂直となる方向の両側から挟む位置に配置し、電磁コイルを励磁すると、電磁コイルと永久磁石が反発して駆動子が停止位置から持ち上がり、電磁コイルの励磁を停止すると、駆動子がその自重により停止位置にもたらされるようにした構成の電磁アクチュエータである。【選択図】図１
2008211949.tif 000002
【特許請求の範囲】
【請求項１】
駆動子と、前記駆動子を回動可能に支持する支軸と、前記駆動子に設けられた永久磁石と、前記永久磁石に作用する一対の電磁コイルと、前記駆動子と当接してその停止位置を規制するストッパとを備え、
前記一対の電磁コイルは、前記停止位置における前記駆動子を、その回動方向に対して垂直となる方向の両側から挟む位置に配置し、
前記電磁コイルを励磁すると、前記電磁コイルと前記永久磁石が反発して前記駆動子が前記停止位置から持ち上がり、前記電磁コイルの励磁を停止すると、前記駆動子がその自重により前記停止位置にもたらされるようにしたことを特徴とする電磁アクチュエータ。
【請求項２】
請求項１記載の電磁アクチュエータの駆動子にハンマー部を設け、前記電磁コイルを励磁すると、前記ハンマー部が共鳴音発生体を打撃するようにしたことを特徴とする共鳴音発生装置。
【発明の詳細な説明】
【技術分野】
【０００１】
本発明は、永久磁石を設けた駆動子を電磁コイルにて駆動する電磁アクチュエータに関する。
【背景技術】
【０００２】
一般に、共鳴音を発生する装置としては、ハンマーにて棒鈴や鐘体等の共鳴音発生体を打撃するものが知られている。ハンマーの駆動については、ソレノイド等の電磁アクチュエータを用いる構成が広く採用されている。ソレノイドを用いてなる装置は、特許文献１乃至５にも開示されている。また、共鳴音発生装置は、共鳴音発生体の音色が異なるものを複数設けて、メロディーを奏でるように構成することも可能であり、からくり時計やオルゴール装置のパフォーマンスを向上するものとしても、広く利用されている。特許文献６及び７には、この種の装置を用いてなる優れた時計装置が開示されている。尚、電磁アクチュエータとしては、特許文献８及び９にも開示されているように、回転式の駆動子を備えたものも知られている。
【特許文献１】特開平５−５３５７１号公報
【特許文献２】特開平６−６４２９５号公報
【特許文献３】特開平１０−１０５１７６号公報
【特許文献４】特開平１１−１７５０５５号公報
【特許文献５】特開２０００−１３７４８２号公報
【特許文献６】特開平１１−１６１２７６号公報
【特許文献７】特開平１１−１６１２７７号公報
【特許文献８】特開平５−１０３４５５号公報
【特許文献９】特開２００４−１９４４９９号公報
【発明の開示】
【発明が解決しようとする課題】
【０００３】
さて、前述した共鳴音発生装置の利用形態は、近年ますます多様化される傾向にあり、共鳴音発生体の打撃に利用する電磁アクチュエータについても、優れた打撃能力を確保するとともに、構造の簡素化及び装飾性の向上等が重要な課題とされている。本発明は、かかる事情に鑑みてなされたものであり、その目的は、合理的に構成された電磁アクチュエータを提供することである。
【課題を解決するための手段】
【０００４】
本願第１請求項に記載した発明は、駆動子と、前記駆動子を回動可能に支持する支軸と、前記駆動子に設けられた永久磁石と、前記永久磁石に作用する一対の電磁コイルと、前記駆動子と当接してその停止位置を規制するストッパとを備え、前記一対の電磁コイルは、前記停止位置における前記駆動子を、その回動方向に対して垂直となる方向の両側から挟む位置に配置し、前記電磁コイルを励磁すると、前記電磁コイルと前記永久磁石が反発して前記駆動子が前記停止位置から持ち上がり、前記電磁コイルの励磁を停止すると、前記駆動子がその自重により前記停止位置にもたらされるようにした構成の電磁アクチュエータである。
【０００５】
本願第２請求項に記載した発明は、請求項１記載の電磁アクチュエータの駆動子にハンマー部を設け、前記電磁コイルを励磁すると、前記ハンマー部が共鳴音発生体を打撃するようにした構成の共鳴音発生装置である。
【発明の効果】
【０００６】
本発明によれば、合理的に構成された電磁アクチュエータを得ることができる。
【発明を実施するための最良の形態】
【０００７】
以下に、本発明の実施例を図面に基づいて説明する。図１乃至図４に示す本例の共鳴音発生装置１は、図５乃至図８に示す電磁アクチュエータ１０の駆動子２０にハンマー部３を設け、電磁アクチュエータ１０の電磁コイル５０を励磁すると、ハンマー部３が共鳴音発生体２を打撃して共鳴音を発生する構成となっている。
【０００８】
共鳴音発生体２は、金属製又は陶器製の鐘型のものであり、電磁アクチュエータ１０を上から覆うように設けられている。共鳴音発生体２の頂上部には、これを外部に支持する棒状の支持部４が設けられている。共鳴音発生体１０を正面水平方向から見ると、円筒状の電磁コイル５０の下部が外部に露呈しており、これが鐘を突く金属玉を模すように工夫されている。
【０００９】
本例の電磁アクチュエータ１０は、駆動子２０と、駆動子２０を回動可能に支持する支軸３０と、駆動子に設けられた永久磁石４０と、永久磁石に作用する一対の電磁コイル５０と、駆動子２０と当接してその停止位置を規制するストッパ６０と、それらを支持する支持体７０とを備えたものである。共鳴音発生体２に対しては、その内側上部に支持体７０を固定して設けられている。
【００１０】
駆動子２０は、その回動方向を平面とするプレート状の部材である。駆動子２０の要所には、その厚さ方向に薄型の永久磁石４０を挟み込む溝部２１が設けられており、永久磁石４０は、溝部２１に保持された状態で接着又はねじ止めにより固定されている。また、ハンマー部３は、永久磁石４０の要所に接着又は螺合により固定された金属製の突起である。支軸３０は、支持体７０の上部に水平に架設されている。支持体７０は、所定の形状を呈するフレーム状の部材である。駆動子２０は、支軸３０を中心に回動可能であるとともに、その自重によってストッパ６０側に付勢されている。すなわち、ストッパ６０と当接する位置が停止位置となっている。ストッパ６０は、一対の電磁コイル５０の間に架設された柱状の部材であり、駆動子２０の要所には、ストッパ６０に対応する凹部２２が設けられている。一対の電磁コイル５０は、停止位置における駆動子２０を、その回動方向に対して垂直となる方向の両側から対称的に挟む位置に配置している。各電磁コイル５０は、鉄心に巻き線を施してなるものであり、それぞれ支持体７０にねじ止めにより固定されている。
【００１１】
一対の電磁コイル５０を同時に励磁すると、各電磁コイル５０と永久磁石４０が反発して駆動子が停止位置から持ち上がり、一対の電磁コイル５０の励磁を同時に停止すると、駆動子２０がその自重により停止位置にもたらされる。永久磁石４０は、一方の電磁コイル５０と対向する面がＳ極、他方の電磁コイル５０と対向する面がＮ極となっている。一方の電磁コイル５０は、永久磁石４０と対向する面がＳ極となっている。また、他方の電磁コイル５０は、永久磁石４０と対向する面がＮ極となっている。駆動子２０が停止位置にある状態において、永久磁石４０の磁極の中心は、電磁コイル５０の磁極の中心に対しストッパ６０の反対側に位置するように設定している。各電磁コイル５０の巻き線は、不図示の電源に並列又は直列に接続されている。
【００１２】
駆動子２０は、電磁コイル５０と永久磁石４０との反発力によると、支持体７０に当接するまで持ち上がる（図８参照）。共鳴音発生装置１においては、支持体７０に当接する前にハンマー部３が共鳴音発生体２を勢いよく打撃する（図４参照）。
【００１３】
以上説明した本例の電磁アクチュエータによると、共鳴音発生体を効率よく打撃することができる。尚、本例における各部の構成は、特許請求の範囲に記載した技術的範囲において適宜に設計変更が可能であり、図例説明したものに限定されないことは勿論である。この電磁アクチュエータは、構造が簡素であり、構成部材の形状については、設計の自由度が高いという利点がある。装飾的にも有利である。
【産業上の利用可能性】
【００１４】
本発明の電磁アクチュエータは、共鳴音発生体を打撃する装置として好適に利用することが可能である。
【図面の簡単な説明】
【００１５】
【図１】本発明の実施例に係り、共鳴音発生装置を示す正面図である。
【図２】本発明の実施例に係り、共鳴音発生装置の内部を示す正面図である。
【図３】本発明の実施例に係り、共鳴音発生装置の内部を示す側面図である。
【図４】本発明の実施例に係り、共鳴音発生装置の内部（共鳴音発生体を打撃した瞬間）を示す正面断面図である。
【図５】本発明の実施例に係り、電磁アクチュエータを示す正面図である
【図６】本発明の実施例に係り、電磁アクチュエータを示す側面図である。
【図７】本発明の実施例に係り、電磁アクチュエータを示す正面断面図（図６のＸ−Ｘ矢視断面図）である。
【図８】本発明の実施例に係り、電磁アクチュエータ（電磁コイルを励磁した状態）を示す正面断面図である。
【符号の説明】
【００１６】
１    共鳴音発生装置
２    共鳴音発生体
３    ハンマー部
４    支持部
１０    電磁アクチュエータ
２０    駆動子
２１    溝部
２２    凹部
３０    軸部
４０    永久磁石
５０    電磁コイル
６０    ストッパ
７０    支持体
【図１】
2008211949.tif 000003
【図２】
2008211949.tif 000004
【図３】
2008211949.tif 000005
【図４】
2008211949.tif 000006
【図５】
2008211949.tif 000007
【図６】
2008211949.tif 000008
【図７】
2008211949.tif 000009
【図８】
2008211949.tif 000010